(57)【要約】  導電体（１）が組み込まれるハウジング（２）を有する電気コンタクト（１９）であって、前記ハウジング（２）が凹み（３）を有し、前記導電体（１）が前記凹み（３）に挿入され、前記導電体（１）と前記ハウジング（２）との間の中間空間（２０）が封止材料（２１）で充填され、前記導電体（１）が、長手方向に前記ハウジング（２）を貫通するように延出し、前記導電体（１）がウェブ（１５，１６）を有し、前記ウェブ（１５，１６）が、前記導電体（１）の長手方向に対して横断するように延在し、前記ウェブ（１５，１６）が、前記導電体（１）の側面を越えて所定の高さだけ突出し、前記封止材料（２１）が、前記ウェブ（１５，１６）の片側に配置される電気コンタクト。
2015513203.tif 000002
【特許請求の範囲】
【請求項１】
導電体（１）が組み込まれるハウジング（２）を有する電気コンタクトであって、
前記ハウジング（２）が凹み（３）を有し、
前記導電体（１）が前記凹み（３）に挿入され、
前記導電体と前記ハウジングとの間の中間空間（２０）が封止材料（２１）で充填され、
前記導電体（１）が、前記導電体の長手方向に前記ハウジング（２）を貫通するように延出され、
前記導電体（１）がウェブ（１５，１６）を有し、
前記ウェブが、前記導電体（１）の長手方向に対して横断するように延在し、
前記ウェブが、前記導電体の側面（６，７）を越えて所定の高さだけ突出し、
前記封止材料（２１）が、前記ウェブ（１５，１６）の片側に配置される電気コンタクト（１９）。
【請求項２】
前記導電体（１）が４つの側面（６，７，８，９）を有し、
前記ウェブ（１５，１６）が夫々前記４つの側面上に配置される請求項１に記載の電気コンタクト。
【請求項３】
２つの互いに反対側の側面（６，７，８，９）が互いに平行に配置され、
前記互いに反対の側面の前記ウェブ（１５，１６）が同一に構成される請求項２に記載の電気コンタクト。
【請求項４】
２つの狭い方の前記側面（８，９）の前記ウェブが、広い方の前記側面（６，７）の前記ウェブ（１５，１６）よりも前記側面から更に突出している請求項３に記載の電気コンタクト。
【請求項５】
前記ウェブ（１５，１６）が少なくとも片側に溝（１７，１８）を有し、
前記溝（１７，１８）が前記ウェブと平行に構成される請求項１乃至４のいずれか一項に記載の電気コンタクト。
【請求項６】
前記ウェブ（１５，１６）の両側に溝（１７，１８）が夫々配置される請求項５に記載の電気コンタクト。
【請求項７】
前記ウェブ（１５，１６）が、前記導電体（１）の厚みの１％乃至１０％の範囲内で前記側面（６，７）を越えて突出している請求項１乃至６のいずれか一項に記載の電気コンタクト。
【請求項８】
前記溝（１７，１８）が２つの横面（２２，２３）を有し、
前記横面（２２，２３）が、前記導電体（１）の前記長手方向に対して横断するように配置され、
前記横面が異なる傾斜を有し、
前記ウェブ（１５，１６）に関連する前記横面（２２）が、前記反対側の横面（２３）よりも傾斜が緩やかである請求項５乃至７のいずれか一項に記載の電気コンタクト。
【請求項９】
前記より傾斜の緩やかな横面（２２）が、前記より傾斜の急な横面（２３）よりも幅が広い請求項８に記載の電気コンタクト。
【請求項１０】
前記溝の横面が、前記溝に対して垂直な平面内に、５０°と８０°との間、例えば６５°の開口角を有する請求項５乃至９のいずれか一項に記載の電気コンタクト。
【発明の詳細な説明】
【技術分野】
【０００１】
本発明は、請求項１に記載の電気コンタクトに関する。
【背景技術】
【０００２】
先行技術においては、導電体がプラスチック製ハウジングに挿入される電気コンタクトが知られている。本発明の目的は、改良した電気コンタクトを提供することである。
【発明の概要】
【発明が解決しようとする課題】
【０００３】
本発明の上記目的は、請求項１に記載の電気コンタクトによって達成される。
【０００４】
本発明の他の有利な実施形態は従属請求項に示す。
【課題を解決するための手段】
【０００５】
記述される電気コネクタの利点は、導電体とハウジングとの間の中間空間を封止するために設けられた封止材料が、ハウジングの固定領域にしっかりと保持されるということである。これは、導電体の長手方向に対して横断する方向に配置され、導電体の側面上方に所定の高さ突出するウェブを有する導電体によって達成される。その結果、導電体の組み付け状態において、ウェブがハウジングに当接し、ウェブによって、封止材料の流れ遮断部材が生成される。一方では、ウェブの形成により、流れ遮断部材が生成され、他方では、導電体とハウジングの間の自由空間により、ハウジング内への導電体の簡単且つ確実な組み付けが可能である。また、この自由空間に、即ち、導電体とハウジングとの間の中間空間に、封止材料を導入することができる。
【０００６】
ウェブは、ウェブがハウジングの壁に封止的に当接するように、導電体の側面よりも突出していることが好ましい。
【０００７】
他の一実施形態では、導電体は４つの側面を有し、ウェブは、この４つの側面の夫々に配置される。このようにして、封止部材が浸入不可の領域に流れ込むことなく、導電体の４つの側面に封止部材を塗布することができる。導電体の側面上にウェブを形成することにより、封止材料がウェブによって区切られた領域を越えて流れることなく、導電体の４つの全側面において、導電ハウジング内の中間空間の封止が可能である。その結果、導電体のハウジングへの確実且つ液密な組み込みが可能になる。
【０００８】
他の一実施形態では、２つの同一のウェブが、２つの互いに反対側の側面に夫々形成され、２種類のウェブが異なるように構成される。このようにして、ウェブの種類は、側面の幅に適応させることができる。狭い側面上で側面を越えて相対的に大きく突出したウェブは、組み付け及び電気コンタクトの機能に対してほとんど不利にはならないことが試験によって示されている。その結果、狭い側面上には、側面から更に突出するウェブが設けられることができる。更に、広い方の側面上のウェブは、組み付けがより難しくなるので、導電体の側面を越えてあまり突出しないようにすべきであることが試験によって示されている。ウェブは、ウェブが導電体の組み付け状態においてハウジングの関連する内壁に接触するように、広い方の側面上では側面を越えて突出していることが好ましい。選択された実施形態に応じて、組み付け状態において、広い方の側面のウェブと関連するハウジング壁との間には小さな隙間があってもよい。ハウジングの側壁からのウェブの隙間の代わりに、封止材料の粘度によって、封止部材がウェブを越えて流れることが防止される。
【０００９】
他の一実施形態では、導電体は、ウェブの構成と平行な溝を有する。ウェブと溝の組み合わせによって、封止材料に対して改良された流れ抵抗が形成される。加えて、封止領域におけるウェブの側部にすなわちウェブ上に溝を形成することにより、特に厚い封止材料層が導入される。その結果、改良した封止が達成され、特に衝撃や温度変動、基準となる形状寸法からのずれ等の障害に対して改良した封止が保証される。
【００１０】
他の一実施形態では、導電体がウェブの両側に溝を有する。
【００１１】
他の一実施形態では、溝は２つの横面を有し、これらの横面はウェブの長手方向と略平行にすなわち導電体の長手方向に対して横断するように配置される。溝の２つの横面は、導電体の側面に対して異なる傾斜を有する。ウェブに隣接する溝の横面は、ウェブから離れた横面よりも傾斜が緩やかである。このようにして、封止材料による溝への改良した流入及び充填が可能になる。また、溝の横面の特殊な構成によって封止が改良される。
【００１２】
他の一実施形態では、溝の傾斜が緩やかな方の横面は、溝の傾斜が急な方の横面よりも幅が大きい。
【００１３】
他の一実施形態では、溝の２つの横面は、溝に対して垂直な方向に５０°と８０°との間、例えば６５°の開口角を有する。溝のこの開口角は、一方では、封止材料による溝の良好な充填につながり、他方では、導電体とハウジングとの間の中間空間の確実且つ強力な封止につながる。
【図面の簡単な説明】
【００１４】
以下の図面を参照して本発明をより詳細に説明する。
【図１】組立前のハウジング及び導電体を示す。
【図２】導電体の一部の拡大図である。
【図３】図２の導電体の切り取ったものである。
【図４】電気コンタクトの断面図である。
【図５】電気コンタクトの他の断面図である。
【図６】図５の一部を切り取って拡大したものである。
【図７】導電体の拡大した断面図である。
【発明を実施するための形態】
【００１５】
図１は、導電体１及びハウジング２の斜視図であり、ハウジング２は、導電体１を受容するための凹み３を有する。ハウジング２は、例えば、プラスチック材料から形成されている。導電体１は、例えば、金属板からの打ち抜き部品として作製され、第１の端部にコンタクト舌部４を、その反対側の第２の端部にコンタクトピン５を有している。図示の実施形態では、導電体１は、断面が矩形である。加えて、導電体１は、細長い短冊形状であり、２つの幅広い側面すなわち上側側面６及び下側側面７が、平行に互いに対して反対側にある。上側側面及び下側側面６，７の側部には、互いに平行に配置された狭い側面８，９が形成されている。
【００１６】
導電体１には、プレス工程によってウェブ１５，１６及び溝１７，１８が導入されることが好ましい。
【００１７】
図２は、導電体１の拡大図である。
【００１８】
コンタクト舌部４の幅は、導電体１の中心領域までは一定である。導電体１の中心領域において、側面８，９は第１の凹み１０を有する。コンタクトピン５に向かう方向に、第１の凹み１０に対して一定の間隔を置いて、第２の凹み１１が側面８，９に形成されている。第２の凹み１１に隣接して、２つの係止突起１２，１３が形成されている。第２の係止突起１３の後には、コンタクトピン５に向かう方向に間隔を置いて、第１及び第２の側面８，９上に第３の係止突起１４も形成されている。第１及び第２の係止突起１２，１３は、導電体１をハウジング２内に係止するように機能する。第１及び第２の側面８，９は同一に構成されている。第３の係止突起１４の高さでは、上側側面及び下側側面６，７上にウェブ１５，１６が夫々形成されている。２つの側面８，９の第３の係止突起１４と上側側面及び下側側面６，７の第１及び第２のウェブ１５，１６は、同じ高さに配置され、導電体１の周囲に延在するように配置された流れ遮断部材を形成する。
【００１９】
図３は、ウェブ１５，１６及び第３の係止突起１４の領域における導電体１の切り取った部分の拡大図である。図示の実施形態では、第１又は第２の溝１７，１８は、上側側面６における及び下側側面７における各ウェブ１５，１６の両側に形成されている。
【００２０】
図４は、電気コンタクト１９の断面であり、導電体１がハウジング２に取り付けられ、更に封止材料２１がハウジング２内の凹み３の一部２０内に導入されている。封止材料２１は、ウェブ１５，１６及び第３の係止突起１４により、ウェブ１５，１６までしか流れることができない。その結果、凹み３の上部２０のみが封止材料２１で充填される。
【００２１】
図４では、係止突起１２，１３，１４によるハウジング２の凹み３の対応する狭い側壁への係合をはっきりと見ることができる。
【００２２】
図５は、図４の配置の他の断面である。ウェブ１５，１６がハウジング２の凹み３の関連する側壁に当接している様子をはっきりと見ることができる。
【００２３】
図６は、図５のウェブ１５，１６の領域の拡大図である。この場合、ウェブ１５，１６が導電体１の上側側面６及び下側側面７よりも突出していることが、夫々はっきりと見ることができる。
【００２４】
図７は、導電体１を切り取った部分の概略図である。
【００２５】
図７を参照すると、溝１７，１８が、ウェブ１５，１６の横断方向に平行に配置されている様子を見ることができる。加えて、溝１７，１８は、ウェブ１５，１６に対して垂直な、異なるように傾斜した第１及び第２の溝面２２，２３を有する。溝面２２，２３の開口角は、５０乃至８０度の範囲、例えば６５度とすることができる。各ウェブ１５，１６に面する第１の溝面２２は、導電体１の長手軸に対して第２の溝面２３よりも傾斜が小さい。このようにして、溝の充填の改良が達成され、より強力な封止が可能になる。
【００２６】
選択された実施形態に応じて、溝１７，１８を省くこともできる。また、溝１７，１８は、異なる断面に配置された溝面、例えば対称的に配置された溝面を有してもよい。
【００２７】
封止材料としては、例えば、液体接着剤やホットメルト接着剤を使用することができる。
【００２８】
また、２つのコンタクトピン５の代わりに、コンタクトピンが１本だけ設けられたり、他の形状のコンタクトが設けられたりしてもよい。
【００２９】
第２の溝面２３の傾斜角は、上側側面６に垂直な線に対して９０°乃至１３０°の範囲内である。また、第１の溝面２２の傾斜角は、上側側面６に垂直な線に対して１５０°乃至１００°の間としてもよい。
【００３０】
ウェブ１５，１６は、ハウジング２に当接する封止領域において、各ウェブ１５，１６の長手方向に対して垂直な断面が丸い輪郭を有することが好ましい。それにより、ハウジングに対して確実且つ強力な封止が達成される。
【００３１】
ウェブ１５，１６は、例えば、上側側面６又は下側側面７から導電体の厚みの１％乃至１５％だけ突出している。
【図１】
2015513203.tif 000003
【図２】
2015513203.tif 000004
【図３】
2015513203.tif 000005
【図４】
2015513203.tif 000006
【図５】
2015513203.tif 000007
【図６】
2015513203.tif 000008
【図７】
2015513203.tif 000009
【国際調査報告】
2015513203.tif 000010
2015513203.tif 000011
2015513203.tif 000012